(57)【要約】【課題】利用者の音楽・情報提供装置に対する過去の操作履歴を考慮して新たな音楽・情報番組を取得することは出来なかった。【解決手段】前記課題については、ジャンル一覧記憶手段と、選局履歴記憶手段と、アーティストジャンル記憶手段と、利用者から推奨音楽検索要求を受信した場合、前記選局履歴記憶手段中のオンエア中の曲目、またはアーティスト名、またはオンエア中の曲目とアーティスト名に対応するジャンル名を、前記アーティストジャンル記憶手段から抽出する手段と、前記抽出したジャンル名を除く前記ジャンル一覧記憶手段中のジャンル名を検索キーワードとしてインターネット検索要求を送出する手段と、前記インターネット検索要求の結果を受信し、表示する手段を備えたことを特徴とする推奨音楽検索装置を提供することで解決される。【選択図】図１
2004287965.tif 000002
【特許請求の範囲】
【請求項１】
所定のジャンル名の一覧情報を格納するジャンル一覧記憶手段と、
ラジオ局の周波数とオンエア中の曲目・アーティスト名を格納する選局履歴記憶手段と、
所定の曲目とアーティスト名・ジャンル名を格納するアーティストジャンル記憶手段と、
利用者から推奨音楽検索要求を受信した場合、前記選局履歴記憶手段中のオンエア中の曲目、またはアーティスト名、またはオンエア中の曲目とアーティスト名に対応するジャンル名を、前記アーティストジャンル記憶手段から抽出する手段と、
前記抽出したジャンル名を除く前記ジャンル一覧記憶手段中のジャンル名を検索キーワードとしてインターネット検索要求を送出する手段と、
前記インターネット検索要求の結果を受信し、表示する手段
を備えたことを特徴とする推奨音楽検索装置。
【請求項２】
所定のジャンル名の一覧情報を格納するジャンル一覧記憶手段と、
ラジオ局の周波数とオンエア中の曲目・アーティスト名を格納する選局履歴記憶手段と、
所定の曲目とアーティスト名・ジャンル名を格納するアーティストジャンル記憶手段と、
利用者から推奨音楽検索要求を受信した場合、前記選局履歴記憶手段中のオンエア中の曲目、またはアーティスト名、またはオンエア中の曲目とアーティスト名に対応するジャンル名を、前記アーティストジャンル記憶手段から抽出する手段と、
前記抽出したジャンル名を除く前記ジャンル一覧記憶手段中のジャンル名を検索キーワードとしてインターネット検索要求を送出する手段と、
前記インターネット検索要求の結果を受信し、表示する手段と、
前記インターネット検索要求の結果に対して所定の処理を行う手段
を備えたことを特徴とする推奨音楽検索装置。
【請求項３】
前記推奨音楽検索要求は、ラジオ聴取時間が所定の基準聴取時間を超過した場合、推奨音楽検索装置が自動的に行う処理であることを特徴とする請求項１、または請求項２記載の推奨音楽検索装置。
【請求項４】
利用者から推奨音楽検索要求を受信した場合、ラジオ局の周波数とオンエア中の曲目・アーティスト名を格納する選局履歴記憶手段中のオンエア中の曲目、またはアーティスト名、またはオンエア中の曲目とアーティスト名に対応するジャンル名を、所定の曲目とアーティスト名・ジャンル名を格納するアーティストジャンル記憶手段から抽出するステップと、
前記抽出したジャンル名を除く所定のジャンル名の一覧情報を格納するジャンル一覧記憶手段中のジャンル名を、検索キーワードとしてインターネット検索要求を送出するステップと、
前記インターネット検索要求の結果を受信し、表示するステップ
を備えたことを特徴とする推奨音楽検索方法。
【請求項５】
利用者から推奨音楽検索要求を受信した場合、ラジオ局の周波数とオンエア中の曲目・アーティスト名を格納する選局履歴記憶手段中のオンエア中の曲目、またはアーティスト名、またはオンエア中の曲目とアーティスト名に対応するジャンル名を、所定の曲目とアーティスト名・ジャンル名を格納するアーティストジャンル記憶手段から抽出するステップと、
前記抽出したジャンル名を除く所定のジャンル名の一覧情報を格納するジャンル一覧記憶手段中のジャンル名を、検索キーワードとしてインターネット検索要求を送出するステップと、
前記インターネット検索要求の結果を受信し、表示するステップ
を実行させるためのプログラムを格納したコンピュータ読み取り可能な記憶媒体。
【発明の詳細な説明】
【０００１】
【発明の属する技術分野】
本発明は、利用者が選局したラジオ局で放送されていた音楽のジャンルと、前記音楽のジャンルを含む音楽のジャンル一覧情報に基づいて、インターネットから前記音楽のジャンル以外の音楽、および前記音楽のジャンル以外の音楽に関する情報を取得する推奨音楽検索装置に関するものである。
【０００２】
【従来の技術】
従来の音楽・情報提供装置は、予め登録した利用者プロファイルに基づいて、利用者の好みに合った音楽・情報番組を提供するものである。（例えば、特許文献１参照）
【０００３】
【特許文献１】
特開２００１−３４３９７９
【０００４】
【発明が解決しようとする課題】
前記従来技術においても、利用者の音楽・情報提供装置に対する過去の操作履歴を考慮して新たな音楽・情報番組を取得することは出来なかった。例えば、利用者が気分に合った音楽を放送しているラジオ局を探している場合において、利用者が過去に選局したラジオ番組で放送されていた音楽のジャンルを考慮して、利用者の気分に合うような音楽、および前記音楽に関する情報を取得することは出来なかった。
【０００５】
【課題を解決するための手段】
前記課題については、所定のジャンル名の一覧情報を格納するジャンル一覧記憶手段と、ラジオ局の周波数とオンエア中の曲目・アーティスト名を格納する選局履歴記憶手段と、所定の曲目とアーティスト名・ジャンル名を格納するアーティストジャンル記憶手段と、利用者から推奨音楽検索要求を受信した場合、前記選局履歴記憶手段中のオンエア中の曲目、またはアーティスト名、またはオンエア中の曲目とアーティスト名に対応するジャンル名を、前記アーティストジャンル記憶手段から抽出する手段と、前記抽出したジャンル名を除く前記ジャンル一覧記憶手段中のジャンル名を検索キーワードとしてインターネット検索要求を送出する手段と、前記インターネット検索要求の結果を受信し、表示する手段を備えたことを特徴とする推奨音楽検索装置を提供することで解決される。
【０００６】
【発明の実施の形態】
以下に、本発明による推奨音楽検索装置の実施形態を図面により詳細に説明する。図１は本発明のシステム構成図である。同図において、推奨音楽検索装置１０１は、プロセッサとメモリを備えるコンピュータであって、ある音楽、および前記ある音楽に関連する情報を格納しているＷＷＷサーバー１１９がネットワーク１１７を介して接続されているものとする。
【０００７】
また、推奨音楽検索装置１０１は、利用者から受信した推奨音楽の検索条件設定要求情報をジャンル一覧ＤＢ１０９、またはアーティストジャンル対応ＤＢ１１５、またはジャンル一覧ＤＢ１０９とアーティストジャンル対応ＤＢ１１５に設定する検索条件設定手段１０３と、利用者から受信したラジオ局の選局履歴を選局履歴ＤＢ１１１に格納する選局履歴格納手段１０５と、利用者から推奨音楽検索要求した場合、前記選局利用者ＤＢ１１１と前記アーティストジャンルＤＢ１１５に基づいて算出した音楽のジャンルと前記ジャンル一覧ＤＢ１０９に基づいて算出したインターネット検索キーワードを用いてインターネットから前記音楽のジャンル以外の音楽、および前記音楽のジャンル以外の音楽に関する情報を取得する推奨音楽検索手段１０７を備える。
【０００８】
先ず、利用者から受信した推奨音楽の検索条件設定要求をジャンル一覧ＤＢ１０９・アーティストジャンル対応ＤＢ１１５に設定する検索条件設定する処理を、図１と図２・図５・図７・図８を用いて説明する。
【０００９】
図２は検索条件設定手段１０３の動作を説明するフローチャート、図５はジャンル一覧ＤＢ１０９の具体的な内容を開示したもの、図７はアーティストジャンル対応ＤＢ１１５の具体的な内容を開示したもの、図８は図示していないが推奨音楽検索装置に備わっているものとする利用者が操作する操作画面の例である。
【００１０】
ここで図２により、利用者から受信した推奨音楽の検索条件設定要求情報をジャンル一覧ＤＢ１０９、またはアーティストジャンル対応ＤＢ１１５、またはジャンル一覧ＤＢ１０９とアーティストジャンル対応ＤＢ１１５に設定する場合の検索条件設定手段の動作を説明する。
【００１１】
検索条件設定手段１０３は、Ｓ２０１で利用者からの検索条件設定要求を受信し、Ｓ２０５で製品出荷時に設定されたジャンル一覧ＤＢ１０９とアーティストジャンル対応ＤＢ１１５の読み出しを行う。次に、Ｓ２０７で前記ジャンル一覧ＤＢ１０９とアーティストジャンル対応ＤＢ１１５の情報を含む検索条件の初期値の表示を行い、Ｓ２０９で前記初期値に対する変更要求を受信したかどうかの判定を行う。
【００１２】
前記判定の結果、前記初期値に対する変更要求を受信した場合、Ｓ２１１で前記変更要求に対応するジャンル一覧ＤＢ１０９、又はアーティストジャンル対応ＤＢ１１５、又は、ジャンル一覧ＤＢ１０９とアーティストジャンル対応ＤＢ１１５の両方の情報を更新すると共に、前記更新情報を前記操作画面に表示する。前記判定の結果、前記初期値に対する変更要求を受信しなかった場合、Ｓ２１３で前記初期値に対する了承要求を受信したかどうかの判定を行う。
【００１３】
前記判定の結果、前記初期値に対する了承要求を受信した場合、何もせずに処理を終了する。前記判定の結果、前記初期値に対する了承要求を受信なかった場合、Ｓ２１１で前記変更要求に対応するジャンル一覧ＤＢ１０９、又はアーティストジャンル対応ＤＢ１１５、又は、ジャンル一覧ＤＢ１０９とアーティストジャンル対応ＤＢ１１５の両方の情報を更新すると共に、前記更新情報を前記操作画面に表示する。
【００１４】
図５の５０１は、検索条件設定後のジャンル一覧ＤＢ１０９の内容を開示したものであり、ジャンル情報として、「交響曲」と「ヴァイオリン」・「ピアノ」・「オペラ」が格納されたことを示している。
【００１５】
図７の７０１は、検索条件設定後のアーティストジャンル対応ＤＢ１１５の内容を開示したものであり、アーティストジャンル対応情報として、「曲目：春／アーティスト：小沢  征三／ジャンル名：／交響曲」と「曲目：さくら／アーティスト：羽田  健次郎／ジャンル名：／ピアノ」が格納されたことを示している。
【００１６】
また、図８の８０１は、ジャンル一覧に関する検索条件設定時の前記操作画面の例であり、初期値として設定されている「交響曲」や「ヴァイオリン」と言ったジャンルに対応するチェックボックスがチェックされていることにより、「交響曲」や「ヴァイオリン」が推奨音楽検索処理対象として有効になっていることを示すものであり、図示していないが、アーティストジャンル対応に関する検索条件設定も同様な操作で設定可能である。
【００１７】
次に図３により、利用者から受信したラジオ局の選局履歴を選局履歴ＤＢ１１１に格納する場合の選局履歴格納手段１０５の動作を説明する。
【００１８】
選局履歴格納手段１０５は、Ｓ３０１で利用者からの選局要求を受信し、Ｓ３０３で、選局されたラジオ局の周波数に基づいて前記ラジオ局のＷＷＷサーバーに接続し、現在オンエアしている曲目、およびアーティストの情報を取得し、選局履歴ＤＢ１１１に格納する。また、前記現在オンエアしている曲目、およびアーティストの情報は、利用者から新たな選局要求を受信するか、又は推奨音楽検索要求を受信するまで選局履歴ＤＢ１１１に格納されるものである。
【００１９】
図６の６０１は、利用者から新たな選局要求を受信したか、または推奨音楽検索要求を受信した後の選局履歴ＤＢ１１１の内容を開示したものであり、選局履歴として、「周波数：４４．１／曲目：春／アーティスト：小沢  征三」と「周波数：５２．２／曲目：さくら／アーティスト：羽田  健次郎」が格納されたことを示している。
【００２０】
また、図４により、利用者から推奨音楽検索要求した場合、前記選局利用者ＤＢ１１１と前記アーティストジャンルＤＢ１１５に基づいて算出した音楽のジャンルと前記ジャンル一覧ＤＢ１０９に基づいて算出したインターネット検索キーワードを用いてインターネットから前記音楽のジャンル以外の音楽、および前記音楽のジャンル以外の音楽に関する情報を取得する推奨音楽検索手段１０７の動作を説明する。
【００２１】
図８の８０３は、利用者が推奨音楽検索装置の推奨音楽検索ボタンを押下することにより、装置に対して推奨音楽検索要求を行う場合の前記操作画面の例である。
【００２２】
推奨音楽検索手段１０７は、Ｓ４０１で利用者からの推奨音楽の検索要求を受信し、Ｓ４０３で選局履歴ＤＢ１１１とアーティストジャンルＤＢ１１５の読み出しを行い、前記選局履歴ＤＢ１１１中の「曲目」と「アーティスト」を検索キーとして前記アーティストジャンルＤＢ１１５中の「ジャンル名」を聴取した曲のジャンルとして抽出を行う。
【００２３】
Ｓ４０５で、Ｓ４０３で抽出した「ジャンル名」を除いたジャンル一覧ＤＢ１０９中の「ジャンル名」をインターネット検索キーワードとして抽出を行う。
【００２４】
Ｓ４０７で前記操作画面に前記インターネット検索キーワードの表示を行う。
【００２５】
Ｓ４０９で、前記インターネット検索キーワードに対する変更要求を受信したかどうかの判定を行う。
【００２６】
前記判定の結果、前記インターネット検索キーワードに対する変更要求を受信した場合、Ｓ４１１で前記変更要求に対応するようにインターネット検索キーワードを更新すると共に、前記変更要求に対応したインターネット検索キーワードを前記操作画面に表示する。前記判定の結果、前記インターネット検索キーワードに対する変更要求を受信しなかった場合、Ｓ４１３で前記初期値に対する了承要求を受信したかどうかの判定を行う。
【００２７】
前記判定の結果、前記インターネット検索キーワードに対する了承要求を受信した場合、Ｓ４１５で、前記インターネット検索キーワードを用いたインターネット検索要求を所定のＷＷＷサーバーに送出する。前記判定の結果、前記インターネット検索キーワードに対する了承要求を受信なかった場合、Ｓ４１１で前記変更要求に対応するようにインターネット検索キーワードを更新すると共に、前記変更したインターネット検索キーワードを前記操作画面に表示する。
【００２８】
Ｓ４１７で、前記インターネット検索要求に対応するインターネット検索結果を受信し、それを前記操作画面に表示する。Ｓ４１９で、前記インターネット検索結果に対する実行要求を受信したか、または前記インターネット検索結果に対する了承要求を受信したか、または前記実行要求と前記了承要求のいずれも受信していないかどうかの判定を行う。
【００２９】
前記判定の結果、前記受信したインターネット検索結果に対する実行要求を受信した場合、Ｓ４２１で前記受信したインターネット検索結果に対する実行処理を行う。例えば、この実行処理は、「ＲｅａｌＡｕｄｉｏ  Ｐｌａｙｅｒ」や「Ｗｉｎｄｏｗｓ（登録商標）  Ｍｅｄｉａ  Ｐｌａｙｅｒ」などの音源ファイルを再生するアプリケーション・ソフトウェアを用いて所定の曲を演奏する場合や、「ＰｒｏＴＡＬＫＥＲ  ９７  エンジン」などのテキストファイルの読み上げを行うアプリケーション・ソフトウェアを用いて所定のＷＥＢ  ページ中のテキストファイルのテキストを読み上げを行うものである。前記判定の結果、前記インターネット検索結果に対する了承要求を受信した場合、何もせずに処理を終了する。前記判定の結果、前記実行要求と前記了承要求のいずれも受信していない場合、Ｓ４１７で、Ｓ４１５で送出したインターネット検索要求に対応するインターネット検索結果を受信し、それを前記操作画面に表示する。
【００３０】
図８の８０５は、インターネット検索に関する検索条件設定時の前記操作画面の例であり、インターネット検索キーワードとして設定されている「ヴァリオリン」や「オペラ」と言ったインターネット検索キーワードに対応するチェックボックスがチェックされていることにより、「ヴァイオリン」や「オペラ」がインターネット検索キーワードとして有効になっていることを示すものである。
【００３１】
また、図８の８０７は、インターネット検索結果に関する実行要求を行う場合の前記操作画面の例であり、利用者により、インターネット検索結果として表示されている「ヴァイオリン／協奏曲Ｎｏ．４７／諏訪内  晶／ＲＥＡＬ（演奏形式ファイル）」に対応するチェックボックスがチェックされていること、および「演奏ボタン」が押下されたことを示すものである。
【００３２】
また、実施例においては、前記推奨音楽検索要求は利用者から受信するものとして説明しているが、前記推奨音楽検索要求は、例えば、ラジオ聴取時間が所定の基準聴取時間を超過した場合、推奨音楽検索装置が自動的に行うもの、または受信可能なラジオ局を検出できない場合、推奨音楽検索装置が自動的に行うもの、または受信可能な全てのラジオ局に対する選局要求を受信した場合、推奨音楽検索装置が自動的に行うものであっても良い。
（付記１）（１）
所定のジャンル名の一覧情報を格納するジャンル一覧記憶手段と、
ラジオ局の周波数とオンエア中の曲目・アーティスト名を格納する選局履歴記憶手段と、
所定の曲目とアーティスト名・ジャンル名を格納するアーティストジャンル記憶手段と、
利用者から推奨音楽検索要求を受信した場合、前記選局履歴記憶手段中のオンエア中の曲目、またはアーティスト名、またはオンエア中の曲目とアーティスト名に対応するジャンル名を、前記アーティストジャンル記憶手段から抽出する手段と、
前記抽出したジャンル名を除く前記ジャンル一覧記憶手段中のジャンル名を検索キーワードとしてインターネット検索要求を送出する手段と、
前記インターネット検索要求の結果を受信し、表示する手段
を備えたことを特徴とする推奨音楽検索装置。
（付記２）（２）
所定のジャンル名の一覧情報を格納するジャンル一覧記憶手段と、
ラジオ局の周波数とオンエア中の曲目・アーティスト名を格納する選局履歴記憶手段と、
所定の曲目とアーティスト名・ジャンル名を格納するアーティストジャンル記憶手段と、
利用者から推奨音楽検索要求を受信した場合、前記選局履歴記憶手段中のオンエア中の曲目、またはアーティスト名、またはオンエア中の曲目とアーティスト名に対応するジャンル名を、前記アーティストジャンル記憶手段から抽出する手段と、
前記抽出したジャンル名を除く前記ジャンル一覧記憶手段中のジャンル名を検索キーワードとしてインターネット検索要求を送出する手段と、
前記インターネット検索要求の結果を受信し、表示する手段と、
前記インターネット検索要求の結果に対して所定の処理を行う手段
を備えたことを特徴とする推奨音楽検索装置。
（付記３）（３）
前記推奨音楽検索要求は、ラジオ聴取時間が所定の基準聴取時間を超過した場合、推奨音楽検索装置が自動的に行う処理であることを特徴とする請求項１、または請求項２記載の推奨音楽検索装置。
（付記４）
前記推奨音楽検索要求は、受信可能なラジオ局を検出できない場合、推奨音楽検索装置が自動的に行う処理であることを特徴とする請求項１、または請求項２記載の推奨音楽検索装置。
（付記５）
前記推奨音楽検索要求は、受信可能な全てのラジオ局に対する選局要求を受信した場合、推奨音楽検索装置が自動的に行う処理であることを特徴とする請求項１、または請求項２記載の推奨音楽検索装置。
（付記６）
前記ジャンル一覧記憶手段、または前記ジャンルアーティスト対応記憶手段中のジャンル名は、クラシック、ジャズ、ロック、ポップスのいずれか一つ以上を含むことを特徴とする請求項１、または請求項２記載の推奨音楽検索装置。
（付記７）
前記所定の処理は、音源ファイルを再生する処理であることを特徴とする請求項１、または請求項２記載の推奨音楽検索装置。
（付記８）
前記所定の処理は、ＲｅａｌＡｕｄｉｏ  Ｐｌａｙｅｒによる処理であることを特徴とする請求項１、または請求項２記載の推奨音楽検索装置。
（付記９）
前記所定の処理は、Ｗｉｎｄｏｗｓ（登録商標）  Ｍｅｄｉａ  Ｐｌａｙｅｒ  による処理であることを特徴とする請求項１、または請求項２記載の推奨音楽検索装置。
（付記１０）
前記所定の処理は、テキスト読み上げ処理であることを特徴とする請求項１、または請求項２記載の推奨音楽検索装置。
（付記１１）
前記ジャンル一覧記憶手段、または前記ジャンルアーティスト対応記憶手段中のジャンル名は、クラシック、ジャズ、ロック、ポップスのいずれか一つ以上を含むことを特徴とする請求項１、または請求項２記載の推奨音楽検索装置。
（付記１２）（４）
利用者から推奨音楽検索要求を受信した場合、ラジオ局の周波数とオンエア中の曲目・アーティスト名を格納する選局履歴記憶手段中のオンエア中の曲目、またはアーティスト名、またはオンエア中の曲目とアーティスト名に対応するジャンル名を、所定の曲目とアーティスト名・ジャンル名を格納するアーティストジャンル記憶手段から抽出するステップと、
前記抽出したジャンル名を除く所定のジャンル名の一覧情報を格納するジャンル一覧記憶手段中のジャンル名を検索キーワードとしてインターネット検索要求を送出するステップと、
前記インターネット検索要求の結果を受信し、表示するステップ
を備えたことを特徴とする推奨音楽検索方法。
（付記１３）
利用者から推奨音楽検索要求を受信した場合、ラジオ局の周波数とオンエア中の曲目・アーティスト名を格納する選局履歴記憶手段中のオンエア中の曲目、またはアーティスト名、またはオンエア中の曲目とアーティスト名に対応するジャンル名を、所定の曲目とアーティスト名・ジャンル名を格納するアーティストジャンル記憶手段から抽出するステップと、
前記抽出したジャンル名を除く所定のジャンル名の一覧情報を格納するジャンル一覧記憶手段中のジャンル名を検索キーワードとしてインターネット検索要求を送出するステップと、
前記インターネット検索要求の結果を受信し、表示するステップと、
前記インターネット検索要求の結果に対して所定の処理を行うステップ
を備えたことを特徴とする推奨音楽検索方法。
（付記１４）（５）
利用者から推奨音楽検索要求を受信した場合、ラジオ局の周波数とオンエア中の曲目・アーティスト名を格納する選局履歴記憶手段中のオンエア中の曲目、またはアーティスト名、またはオンエア中の曲目とアーティスト名に対応するジャンル名を、所定の曲目とアーティスト名・ジャンル名を格納するアーティストジャンル記憶手段から抽出するステップと、
前記抽出したジャンル名を除く所定のジャンル名の一覧情報を格納するジャンル一覧記憶手段中のジャンル名を検索キーワードとしてインターネット検索要求を送出するステップと、
前記インターネット検索要求の結果を受信し、表示するステップ
を実行させるためのプログラムを格納したコンピュータ読み取り可能な記憶媒体。
（付記１５）
利用者から推奨音楽検索要求を受信した場合、ラジオ局の周波数とオンエア中の曲目・アーティスト名を格納する選局履歴記憶手段中のオンエア中の曲目、またはアーティスト名、またはオンエア中の曲目とアーティスト名に対応するジャンル名を、所定の曲目とアーティスト名・ジャンル名を格納するアーティストジャンル記憶手段から抽出するステップと、
前記抽出したジャンル名を除く所定のジャンル名の一覧情報を格納するジャンル一覧記憶手段中のジャンル名を検索キーワードとしてインターネット検索要求を送出するステップと、
前記インターネット検索要求の結果を受信し、表示するステップと、
前記インターネット検索要求の結果に対して所定の処理を行うステップ
を実行させるためのプログラムを格納したコンピュータ読み取り可能な記憶媒体。
【００３３】
【発明の効果】
利用者が選局したラジオ局で放送されていた音楽のジャンルと、前記音楽のジャンルを含む音楽のジャンル一覧情報に基づいて、インターネットから前記音楽のジャンル以外の音楽、および前記音楽に関する情報を取得する処理により、例えば、利用者が気分に合った音楽を放送しているラジオ局を探している場合において、利用者が過去に選局したラジオ番組で放送されていた音楽のジャンルを考慮して、利用者の気分に合うような音楽、および前記音楽に関する情報を容易に取得することが出来ると言う効果がある。
【図面の簡単な説明】
【図１】本発明の実施例のシステム構成を説明する図。
【図２】本発明の実施例の検索条件設定手段を説明する図。
【図３】本発明の実施例の選局履歴格納手段を説明する図。
【図４】本発明の実施例の推奨音楽検索手段を説明する図。
【図５】本発明の実施例のジャンル一覧ＤＢ。
【図６】本発明の実施例の選局履歴ＤＢ。
【図７】本発明の実施例のアーティストジャンル対応ＤＢ。
【図８】本発明の実施例の操作画面例。
【符号の説明】
１０１  本発明の実施例の推奨音楽検索装置
１０３  本発明の実施例の検索条件設定手段
１０５  本発明の実施例の選局履歴格納手段
１０７  本発明の実施例の推奨音楽検索手段
１０９  本発明の実施例のジャンル一覧ＤＢ
１１１  本発明の実施例の選局履歴ＤＢ
１１５  本発明の実施例のアーティストジャンル対応ＤＢ
１１７  ネットワーク
１１９  ＷＷＷサーバー
【図１】
2004287965.tif 000003
【図２】
2004287965.tif 000004
【図３】
2004287965.tif 000005
【図４】
2004287965.tif 000006
【図５】
2004287965.tif 000007
【図６】
2004287965.tif 000008
【図７】
2004287965.tif 000009
【図８】
2004287965.tif 000010